(57)【要約】      （修正有）【課題】メディアディスクの外面保護性能が高く、その出入も容易なメディアディスク用パッケージを提供する。【解決手段】一面が開口した収容凹部４を形成した板紙２と、この収容凹部４内に収容されたメディアディスク３と、この板紙の収容凹部開口４ａ側一面に貼着されてこの凹部開口４ａを閉じる透明フィルム５とにより構成する。【選択図】図２
0003155133.tif 000002
【実用新案登録請求の範囲】
【請求項１】
一面が開口した凹部を形成した板紙と、
この凹部内に収容されたメディアディスクと、
この板紙の凹部開口側一面に貼着されてこの凹部開口を閉じる透明フィルムと、
を具備したことを特徴とするメディアディスク用パッケージ。
【請求項２】
前記板紙は、前記メディアディスクを挿入する開口を形成した表面側板紙と、この表面側板紙の裏面側に貼着されて前記開口の裏面側を閉じて前記メディアディスクを収容する凹部を形成する裏面側板紙と、を具備していることを特徴とする請求項１記載のメディアディスク用パッケージ。
【請求項３】
前記板紙は、前記表面側板紙と前記裏面側板紙とを一体に連結してなる二つ折り板紙を、一つに折畳み重ね合せ面同士を貼着することにより形成されていることを特徴とする請求項２記載のメディアディスク用パッケージ。
【請求項４】
前記表面側板紙と裏面側板紙との間に介在されてこれら表面側，裏面側板紙に貼着され、前記メディアディスクを挿入する開口を前記表面側板紙の開口と同心状に形成して、これら開口をメディアディスク収容凹部に形成する中間板紙を、具備していることを特徴とする請求項２記載のメディアディスク用パッケージ。
【請求項５】
前記板紙は、前記表面側板紙、中間板紙および裏面側板紙とを一体に連結してなる三つ折り板紙を、一つに折り畳み重ね合せ面同士を貼着することにより形成されていることを特徴とする請求項４記載のメディアディスク用パッケージ。
【請求項６】
前記板紙は、前記凹部の裏面側に、この凹部からメディアディスクを取り出す取出口を形成する輪郭線の少なくとも一部に、ミシン目を形成して開閉蓋を形成していることを特徴とする請求項１〜５のいずれか１項に記載のメディアディスク用パッケージ。
【請求項７】
前記開閉蓋は、前記取出口のミシン目を、前記メディアディスクの輪郭のほぼ半周分のほぼ半円状に形成し、このミシン目の終点同士を直径方向で結ぶように折目を形成し、このミシン目の周方向中間部に切込みを所要長形成していることを特徴とする請求項６記載のメディアディスク用パッケージ。
【請求項８】
前記凹部の内底面に粗面を形成したことを特徴とする請求項１〜７のいずれか１項に記載のメディアディスク用パッケージ。
【請求項９】
前記板紙は、定型郵便物に適合する寸法と重量に形成されていることを特徴とする請求項１〜８のいずれか１項に記載のメディアディスク用パッケージ。
【請求項１０】
前記板紙は、その裏面側に、郵便番号を記入する郵便番号記入欄を予め印刷してあることを特徴とする請求項１〜９のいずれか１項に記載のメディアディスク用パッケージ。
【考案の詳細な説明】
【技術分野】
【０００１】
本考案はＤＶＤ（Ｄｉｇｉｔａｌ  Ｖｅｒｓａｔｉｌｅ  Ｄｉｓｋ）やＣＤ（Ｃｏｍｐａｃｔ  Ｄｉｓｋ）等のメディアディスクを収容する紙製のメディアディスク用パッケージに関する。
【背景技術】
【０００２】
従来より、メディアディスクを紙製のパッケージにより収容するものが知られている（例えば、特許文献１，２参照）。
【０００３】
この特許文献１に記載のコンパクトディスクケースは、折り畳まれた厚紙によりＣＤの両面を挟持すると共に、この折り畳まれた厚紙の一方の内面に設けた帯状ホルダーにより、ＣＤを径方向で支持し、さらに、この帯状ホルダーの中央に設けた折り曲げ可能の舌片をＣＤの中心孔のスピンドル孔に挿入することにより、ＣＤを厚紙に固定している。
【０００４】
また、特許文献２に記載のＣＤケースは、折り畳まれた厚紙によりＣＤの両面を挟持すると共に、このＣＤの直径方向で対向する左右の外周縁部の一部をそれぞれ挿入させる切込みを厚紙の左右の折り目にそれぞれ設け、ＣＤを固定している。
【先行技術文献】
【特許文献】
【０００５】
【特許文献１】実開平２−４８５９２号公報
【特許文献２】特開２００４−１９６３７７号公報
【考案の概要】
【考案が解決しようとする課題】
【０００６】
しかしながら、これら特許文献１，２記載のものでは、共に細い紙製帯状のホルダーによりＣＤを直径方向で支持しているので、この帯状ホルダー内にＣＤを出入する際に、この薄いＣＤの外周縁部のエッジが帯状ホルダーに当接するので、そのホルダーへの出入を繰り返すことにより、帯状ホルダーが破断する虞が高い。
【０００７】
また、帯状ホルダーと厚紙内面との狭隘な間隙内に、その横方向からＣＤを挿入するので、その挿入が容易ではないうえに、この帯状ホルダーにより支持されているＣＤを取り出す場合にも、薄いＣＤが厚紙の内面に密着しているので、容易ではないという課題がある。また、折畳み可能の厚紙同士は貼着されずに、単に折り畳まれているだけであるので、厚紙同士は開き易く、ＣＤの外面保護が不十分である、という課題もある。
【０００８】
本発明は、このような事情を考慮してなされたもので、その目的は、メディアディスクの外面保護性能が高く、その出入も容易なメディアディスク用パッケージを提供することを目的とする。
【課題を解決するための手段】
【０００９】
請求項１に係るメディアディスク用パッケージは、一面が開口した凹部を形成した板紙と、この凹部内に収容されたメディアディスクと、この板紙の凹部開口側一面に貼着されてこの凹部開口を閉じる透明フィルムと、を具備したことを特徴とする。
【００１０】
請求項２に係るメディアディスク用パッケージは、前記板紙は、前記メディアディスクを挿入する開口を形成した表面側板紙と、この表面側板紙の裏面側に貼着されて前記開口の裏面側を閉じて前記メディアディスクを収容する凹部を形成する裏面側板紙と、を具備していることを特徴とする。
【００１１】
請求項３に係るメディアディスク用パッケージは、前記板紙は、前記表面側板紙と前記裏面側板紙とを一体に連結してなる二つ折り板紙を、一つに折畳み重ね合せ面同士を貼着することにより形成されていることを特徴とする。
【００１２】
請求項４に係るメディアディスク用パッケージは、前記表面側板紙と裏面側板紙との間に介在されてこれら表面側，裏面側板紙に貼着され、前記メディアディスクを挿入する開口を前記表面側板紙の開口と同心状に形成して、これら開口をメディアディスク収容凹部に形成する中間板紙を、具備していることを特徴とする。
【００１３】
請求項５に係るメディアディスク用パッケージは、前記板紙は、前記表面側板紙、中間板紙および裏面側板紙とを一体に連結してなる三つ折り板紙を、一つに折り畳み重ね合せ面同士を貼着することにより形成されていることを特徴とする。
【００１４】
請求項６に係るメディアディスク用パッケージは、前記板紙は、前記凹部の裏面側に、この凹部からメディアディスクを取り出す取出口を形成する輪郭線の少なくとも一部に、ミシン目を形成して開閉蓋を形成していることを特徴とする。
【００１５】
請求項７に係るメディアディスク用パッケージは、前記開閉蓋は、前記取出口のミシン目を、前記メディアディスクの輪郭のほぼ半周分のほぼ半円状に形成し、このミシン目の終点同士を直径方向で結ぶように折目を形成し、このミシン目の周方向中間部に切込みを所要長形成していることを特徴とする。
【００１６】
請求項８に係るメディアディスク用パッケージは、前記凹部の内底面に粗面を形成したことを特徴とする。
【００１７】
請求項９に係るメディアディスク用パッケージは、前記板紙は、定型郵便物に適合する寸法と重量に形成されていることを特徴とする。
【００１８】
請求項１０に係るメディアディスク用パッケージは、前記板紙は、その裏面側に、郵便番号を記入する郵便番号記入欄を予め印刷してあることを特徴とする。
【考案の効果】
【００１９】
本考案によれば、板紙の凹部開口側一面に透明フィルムを貼着する前に、その凹部内に、その開口端側からメディアディスクを挿入することができるので、その挿入が容易である。
【００２０】
また、板紙の凹部内にメディアディスクを収容した状態では、その表裏両面を、透明フィルムと板紙の凹部底面とにより挟持すると共に、その外周側面を凹部の側面により支持するので、この凹部内でメディアディスクががたつくことを防止または低減できる。
【図面の簡単な説明】
【００２１】
【図１】本考案の一実施形態に係るメディアディスク用パッケージの斜視図。
【図２】図１で示すメディアディスク用パッケージの分解斜視図。
【図３】図３で示すメディアディスク用パッケージの組立方法を示す分解斜視図。
【図４】図１のＩＶ−ＩＶ線断面図。
【図５】図１で示すメディアディスク用パッケージの裏面側の斜視図。
【考案を実施するための形態】
【００２２】
以下、本考案の実施形態を添付図面に基づいて説明する。なお、複数の添付図面中、同一または相当部分には同一符号を付している。
【００２３】
図１は本考案の一実施形態に係るメディアディスク用パッケージ１の斜視図、図２は同，分解斜視図である。
【００２４】
図１に示すように、メディアディスク用パッケージ１は、例えば、はがき大等所要寸法の矩形の板紙本体２の図中上面の表面２ａのほぼ中央部に、メディアディスク３の形状と寸法に適合する有底円形凹部の収容凹部４を形成している。この収容凹部４は、その図中上面のほぼ全面を開口４ａさせており、その凹部深さをメディアディスク３の厚さとほぼ同じ寸法に形成しており、メディアディスク３が収容凹部４内に収容された状態で、このメディアディスク３と板紙本体２の表面２ａとがほぼ面一に形成されている。この表面２ａ上には、板紙本体２の平面形状と同形同大の合成樹脂製の透明フィルム５が所要の接着剤により貼着されている。
【００２５】
メディアディスク３は、例えば直径８０ｍｍのＤＶＤであるが、直径１２０ｍｍまたはそれ以上の大きさのＤＶＤでもよい。また、ＣＤでもよく、メディアディスクであればよい。
【００２６】
図２の分解斜視図に示すようにメディアディスク用パッケージ１は、板紙本体２を所要厚さの三つ折りの板紙６により構成している。三つ折りの板紙６は、板紙本体２の表面側を形成する表面側板紙６ａ、同，中間層を形成する中間板紙６ｂおよび同，裏面側を形成する裏面側板紙６ｃの互いに隣り合う縦長一側縁を順次一体に連結して、１枚の横長板紙を形成し、これら板紙６ａ，６ｂ，６ｃの各連結部に、その長手方向に折り目ａ，ｂをそれぞれ形成し、一つの板紙本体２に折り畳み自在に構成している。
【００２７】
そして、三つ折りの板紙６は、表面側板紙６ａに、図１で示す収容凹部４と同形同大の表面側円形開口６ａ１を形成し、中間板紙６ｂに、この表面側円形開口６ａ１と同形同大の中間側円形開口６ｂ１とを同心状に形成している。これら表面側，中間側円形開口６ａ１，６ｂ１は、これらを表裏（上下）方向で同心状に重ね合せることにより、上記収容凹部４を形成するようになっている。
【００２８】
また、裏面側板紙６ｃは、その内面（図２，図３では下面）、すなわち、収容凹部４の内底面に相当する一面を粗面７に形成している。この粗面７は、メディアディスク５の変位を防止または抑制できる表面粗さに形成されている。
【００２９】
また、裏面側板紙６ｃは、その中央部にほぼ半円弧状の開閉蓋６ｃ１を形成している。開閉蓋６ｃ１は、収容凹部４、すなわち、中間側板紙６ｂの円形開口６ｂ１の円形輪郭線のほぼ半周分に相当する半円弧状のミシン目ｃを裏面側板紙６ｃに形成している。
【００３０】
開閉蓋６ｃ１は、そのほぼ半円弧状のミシン目ｃのほぼ中間部に、この半円弧よりも小さく、人の指先よりも若干大きい外向の小円弧状のつまみ舌片ｃ１を一体に連成している。つまみ舌片ｃ１はミシン目ｃにより形成してもよく、切り込みにより形成してもよい。
【００３１】
また、開閉蓋６ｃ１は、その半円弧状のミシン目ｃの直径方向で対向する一対の終端同士をほぼ直線上に結ぶように折り目ｄを形成している。
【００３２】
これにより、ミシン目ｃを指の爪等により破断し、つまみ舌片ｃ１を摘み、外側（図２では裏面側板紙６ｃ１の表面側、図３では上方側）へ開放することにより、折り目ｄを回動中心軸として外側へ開口させることができる。
【００３３】
そして、図３に示すように三つ折り板紙６をその折り目ａ，ｂに沿って図中太矢印方向にそれぞれ折り畳み、図４で示すように、これら重ね合せ面同士を所要の接着剤８により固着し、図１，図４で示す３層の板紙本体２を形成する。これにより、表面側板紙６ａの表面側開口６ａ１と中間板紙６ｂの中間表面側開口６ｂ１が同心状に重ねられて有底円形の収容凹部４が形成される。
【００３４】
そこで、この収容凹部４内に、その上面開口４ａからメディアディスク３を挿入する。この収容凹部４の深さとメディアディスク３の厚さはほぼ同寸法であるので、メディアディスク３を収容凹部４内に挿入した状態では、このメディアディスク３の外面（上面）と表面側板紙６の表面６ａとがほぼ面一となる。そこで、この表面側板紙６の平面形状と同形同大の透明フィルム５を貼着する。
【００３５】
メディアディスク用パッケージ１はこのように構成されているので、その収容凹部４内に、その全面を開口した上面開口４ａからメディアディスク３を挿入することができるので、その挿入の容易性を向上できる。
【００３６】
また、収容凹部４内に収容されたメディアディスク３の上面を透明フィルム５により被覆して保護すると共に、その側面と底面とを所要の剛性を有する板紙本体２により被覆して保護するので、メディアディスク３の外面保護性能を向上できるうえに、メディアディスク３が収容凹部４内で変位し、がたつくことを防止または抑制できる。
【００３７】
さらに、収容凹部４の上面開口４ａ端を透明フィルム５により閉じているので、収容凹部４内のメディアディスク３の存否を視認する視認性を向上できるうえに、外観上の美観を向上できる。
【００３８】
また、収容凹部４の内底面に粗面７を形成したので、この収容凹部４内でのメディアディスク３のがたつきをさらに低減できる。
【００３９】
そして、図５に示すように板紙本体２の裏面側の半円状の開閉蓋６ｃ１のミシン目ｃを爪等により破断して開閉蓋６ｃ１のつまみ舌片ｃ１を持って外方に開放することにより、収容凹部４の底面側をメディアディスク３のほぼ半円形分に相当する大きさで開口させることができる。このために、この背面開口からメディアディスク３を外部に容易に取り出すことができる。
【００４０】
なお、メディアディスク用パッケージ１は、板紙本体２の平面形状をはがき大に形成し、定型郵便物に適合する寸法や重量に形成し、板紙本体２の背面側、すなわち、裏面側板紙６ｃの外面を、郵便番号を記入する郵便番号記入欄を設ける等、郵送先の宛名書き面に形成してもよい。
【００４１】
これによれば、収容凹部４内に、例えば８０ｍｍのＤＶＤ等をメディアディスク３として収容した状態で定型郵便物のダイレクトメールとして郵送できる。
【００４２】
しかも、このメディアディスク用パッケージ１は、メディアディスク３の外面保護性能が高く、収容凹部４のがたつきを防止または低減できるので、郵送中のメディアディスク３の破損の防止または低減を図ることができる。
【００４３】
また、本考案は上記中間板紙６ｂを省略して、表面側板紙６ａと裏面側板紙６ｃとを一体に連結してなる二つ折りの板紙に形成し、さらに、この二つ折りの板紙を一つに折り畳み、その重ね合せ面を接着剤８により貼着して板紙本体２に形成するようにしてもよい。但し、この場合、表面側板紙６ａの厚さがメディアディスク３の厚さとほぼ同一であることが必要である。
【符号の説明】
【００４４】
１…メディアディスク用パッケージ、２…板紙本体、２ａ…板紙本体２の表面、３…メディアディスク、４…収容凹部、４ａ…収容凹部４の上面開口、５…透明フィルム、６ａ…表面側板紙、６ｂ…中間板紙、６ｃ…裏面側板紙、７…粗面、８…接着剤。
【図１】
0003155133.tif 000003
【図２】
0003155133.tif 000004
【図３】
0003155133.tif 000005
【図４】
0003155133.tif 000006
【図５】
0003155133.tif 000007